(57)【要約】【課題】従来油圧プレスを使用して鋼材等を修正及び加工する際に，前記鋼材等が前記油圧プレスからはみ出てバランスを保てない時は，前記鋼材等の前記油圧プレスからはみ出たころを助手により抱持してバランスを保ちながら修正作業や加工作業を行っていた。【解決手段】油圧プレスを使用して鋼材等を修正及び加工する際に，油圧プレスに具備することで前記油圧プレスからはみ出てバランスを失う鋼材等を抱持する助手に頼らずに，前記鋼材等を支持するために前記油圧プレスの梁にアタッチメント（A）を備設し、前記アタッチメント（A）にアーム（B）を備え、前記アーム（B）にアダプター（C）を備え、前記アダプター（C）に備えた巻き上げ機又は吊り上げ具等により前記油圧プレスからはみ出た鋼材等(E)を保持して支持する事により前記鋼材等(Ｅ)のバランスを保つことができる前記鋼材等を支持する装置と，前記装置を具備した油圧プレスを提供する。【選択図】図２
2007245226.tif 000002
【特許請求の範囲】
【請求項１】
油圧プレスを使用して鋼材等を修正及び加工する際に，前記油圧プレスに具備して，前記鋼材等を支持する装置であって，前記油圧プレスの梁に備設するアタッチメントと，前記アタッチメントに備えるアームと，前記アームに備えるアダプターとで，構成したことを特徴とする油圧プレスに具備する鋼材等を支持する装置。
【請求項２】
前記アタッチメントは前記油圧プレスの前後左右どの梁にも備えることが可能な構造と，前記アタッチメントに前記アームを備えることで，前記アームは前記アームの軸棒を中心に左右へ水平に往復旋廻が可能な構造と，前記アームに前記アダプーを備えることで前記アダプターは前記アームに沿ってスライドと自在にロックすることが可能な構造とで，構成したことを特徴とする，請求項１記載の油圧プレスに具備して鋼材等を支持する装置。
【請求項３】
前記アームは真っ直ぐであり，断面が丸型又は，四角型又は，Ｈ型の形状をしたアームを使用可能な構造の装置と，前記アームに備えられた前記アダプターは前記アームに沿ってスライドが可能で，斜め方向に引かれると自在にロックされる構造の装置とで構成されたことを特徴とする請求項１，２記載の鋼材等を支持する装置。
【請求項４】
請求項１，２，３記載の鋼材等を支持する装置のいずれかを具備したことを特徴とした油圧プレス。
【発明の詳細な説明】
【技術分野】
【０００１】
この発明は、油圧プレスを使用して鋼材等を修正及び加工する際に，前記油圧プレスからはみ出てバランスを保てない鋼材等を支持する装置と，前記鋼材等を支持する装置を具備した油圧プレスに関するものである。
【背景技術】
【０００２】
従来、油圧プレスを使用して鋼材等を修正及び加工する際に，前記鋼材等が前記油圧プレスからはみ出でることによりバランスを保てずに前記鋼材等の修正作業及び加工作業に支障を来たす時は，助手により前記鋼材等の前記油圧プレスからはみ出た所を抱持して，前記鋼材等のバランスを保ちながら修正作業及び加工作業を行っていた。
【発明の開示】
【発明が解決しようとする課題】
【０００３】
しかしながら、油圧プレスを使用して鋼材等を修正及び加工する際に，前記油圧プレスからはみ出る前記鋼材等の前記油圧プレスからはみ出たところを従来の方法である助手により抱持してバランスを保ちながら前記鋼材等の修正作業及び加工作業をすることには限界があった、それは前記油圧プレスからはみ出る前記鋼材等を修正及び加工する際には前記鋼材等の前記油圧プレスからはみ出たところを高低の調整と前後左右の調整を同時に伴った支持による修正作業及び加工作業が必要になるからであり、助手によって鋼材等を抱持して高低の調整と前後左右の調整を同時に行いながらの修正作業及び加工作業の継続は至難であり，助手を時々休ませることで修正作業及び加工作業を継続していた、又助手が不在のときは油圧プレスからはみ出てバランスを保てない鋼材等の修正作業及び加工作業は中止せざるをえない時も多々ある，このような問題を解決するには、油圧プレスを使用して修正及び加工しようとする鋼材等が前記油圧プレスからはみ出てバランスが保てなくても助手に頼らず修正及び加工しようとする前記鋼材等のバランスを保つことの出来る装置と，前記装置を具備した油圧プレスの提供である。
【課題を解決するための手段】
【０００４】
そこで、本発明は、上記の問題を解決するため次のような装置と，その装置を具備した油圧プレスを提供する。
【０００５】
それは油圧プレスへ備設するアタッチメント(Ａ)と，前記アタッチメント(Ａ)に備えるアーム(Ｂ)と，前記アーム(Ｂ)に備えるアダプター(Ｃ)とで，構成された，鋼材等を支持する装置と，前記鋼材等を支持する装置を具備した油圧プレスの提供とともに，前記油圧プレスに具備された前記鋼材等を支持する装置の前記アダプター(Ｃ)へ巻き上げ機又は吊り上げ具等を備えての提供である。
【０００６】
詳しくは，アタッチメントの上下に配置した蝶板のそれぞれ一方の板(１，１)を開閉し，油圧プレスの梁(イ，ロ，ハ，ニ「ロ，ハは図示できず」のいずれか)を上下から挟み閉じて，油圧プレスの梁(イ，ロ，ハ，ニ，「ロ，ハは図示できず」のいずれか)へ備設し，前記アタッチメント(Ａ)のパイプ(４)の上部穴(ア)へアーム(Ｂ)の軸棒(６)を上方より挿入し，前記アタッチメント(Ａ)に前記アーム(Ｂ)を備えることによりアーム(５)は軸棒(６)を中心に左右へ水平に往復旋廻が可能となる構造と，前記アタッチメント(Ａ)に備えられた前記アーム(５)に前記アダプター(Ｃ)を備えることにより前記アダプター(Ｃ)は前記アーム(５)に沿ってスライドと自在にロックが可能となる構造とで構成した鋼材等を支持する装置と，前記鋼材等を支持する装置を具備した油圧プレス提供とともに，前記油圧プレスに具備された前記鋼材等を支持する装置のアダプター(８)へチェーンブロック(１０)を備えて提供する。
【発明の効果】
【０００７】
上延した,本発明の,鋼材等を支持する装置と．前記鋼材等を支持する装置を具備した油圧プレスと，前記油圧プレスに具備した前記鋼材等を支持する装置の前記アダプター（Ｃ）にチェーンブロック（１０）を備えて提供したことにより次のような効果を得た，
【０００８】
それは油圧プレスからはみ出る鋼材等(E)が前記油圧プレスから前後左右いずれかの方向へはみ出てバランスを失いかけても前記油圧プレスからはみ出た前記鋼材(Ｅ)を前記油圧プレスに具備した前記鋼材等を支持する装置の前記アダプター(８)へ備えられたチェーンブロック(１０)のチェーン(１３)と連結しているフック(１４)により前記油圧プレスからはみ出た前記鋼材等の遠近任意のところを保持して，前記チェーンブロック(１０)のハンドル(１２)を右回転又は左回転させ前記チェーン(１３)を伸縮させ,前記チェーン(１３)と連結されている前記フック(１４)を昇降させることで，前記鋼材等(Ｅ)の前記油圧プレスからはみ出たところを吊り上げる高さの調整と,前記アダプター(８)と前記チェーンブロック(１０)を備えた前記アーム(５)が軸棒(６)を中心に左右へ水平に往復旋廻可能なことによって，前記油圧プレスからはみ出た前記鋼材等(Ｅ)を前後左右どの方向へでも支持する角度の調整を同時に，しかも微調整を伴いながら長時間でも修正作業及び加工作業を継続して行うことができることが可能となり，前記油圧プレスを使用して修正及び加工しようとする鋼材等(Ｅ)を抱持する助手(Ｆ)を必要とせず，前記油圧プレスを使用して前記鋼材等を修正及び加工する作業員一人で安全にそして効率のよい前記鋼材等の修正作業及び加工作業が可能となった。
【発明を実施するための最良の形態】
【０００９】
以下、この発明の実施の形態を図３〜図５に基づいて説明する。
【００１０】
アタッチメント(Ａ)は上下の蝶板(１，１)を開閉することで，油圧プレスの梁(イ，ロ，ハ，ニ「ロ，ハは図示できず」)に備設が可能であり、前記アタッチメントを前記油圧プレスの梁（イ，ロ，ハ，ニ，「ロ，ハは図示できず」のいずれか）に備設することにより前記アタッチメント(Ａ)にアーム(Ｂ)を備えることが可能な構造である．
【００１１】
アーム(Ｂ)は前記アタッチメント(Ａ)に備える装置であるとともにアダプター(Ｃ)を備える装置であり，前記アーム(Ｂ)の軸棒（６）前記アタッチメント(Ａ)のパイプ（４）の上部内穴(ア)へ上方から挿入し、前記アタッチメント(Ａ)に前記アーム(Ｂ)を備えることにより，前記アーム（５）は軸棒(６)を中心に左右へ水平に往復旋回が可能な構造であり，前記アームは真っ直ぐなことでアーム全体が水平に成ることと，前記アームの断面が丸型又は，角型又は，Ｈ型等の形状をしたアームを使用可能である。
【００１２】
アダプター(Ｃ)は前記アーム(Ｂ)に備える装置であるとともにチェーンブロック(１０)を備える装置であり，前記アーム(Ｂ)に備えられたアダプター(Ｃ)は前記アーム(Ｂ)が真っ直ぐなことにより前記アームに沿って自在にスライド可能であることと，前記アームのどの位置でも自在にロックが可能な構造である。
【００１３】
前記アタッチメント(Ａ)と、前記アーム(Ｂ)と、前記アダプター(Ｃ)とで構成した，鋼材等を支持する装置を油圧プレスに具備し，前記油圧プレスに具備した鋼材等を支持する装置のアダプター(Ｃ)へチェーンブロック(１０)を備えることにより，前記油圧プレスを使用して修正及び加工しようとする鋼材等が，前記油圧プレスから前後左右どの方向にはみ出ても前記油圧プレスからはみ出た前記鋼材等の遠近任意のところを上方から吊り上げることと同時に，前記鋼材等を前後左右どの方向へでも支持することが可能な鋼材等を支持する装置である。
【実施例】
【００１４】
図２により本発明の実施例を説明する。
【００１５】
油圧プレスを使用して鋼材等を修正及び加工しようとする際に，前記油圧プレスの梁（イ，ロ，ハ，ニ，「ロ，ハは図示できず」のいずれか)にアタッチメント(Ａ)を備設し、前記アタッチメント(Ａ)にアーム(Ｂ)を備えることにより、前記アーム（５）は左右へ水平に往復旋廻が可能となり、前記アーム（５）にアダプター(Ｃ)を備えることで、前記アダプター(Ｃ)が前記アーム（５）に沿ってスライドと自在にロックが可能となり、修正及び加工しようとする鋼材等（E）が、前記油圧プレスから前後左右どの方向へはみ出ても、前記油圧プレスからはみ出た前記鋼材等（E）の遠近任意のところをチェーンブロック(１０)のチェーン（１３）と連結されているフック（１４）により前記鋼材等を保持し、前記チェーンブロック（１０）のハンドル（１２）を右回転又は左回転させることにより前記チェーン（１３）を伸縮させて前記チェーンと(１３)連結されている前記フック(１４)を昇降させることで前記鋼材等（Ｅ）の前記油圧プレスからはみ出た遠近任意のところを吊り上げる高さを調整することと,前記アタッチメント(Ａ)に備えられて前記アダプター(Ｃ)を備えた前記アーム(５)が軸棒(6)を中心に左右へ水平に往復旋廻が可能なことで前記鋼材等(Ｅ)の前記油圧プレスからはみ出たところを前後左右どの方向へでも支持する角度の調整を同時に行いながら前記鋼材等(Ｅ)の修正作業及び加工作業を長時間でも作業員一人で安全に効率よく行うことができる。
【００１６】
図１により従来の実施例を説明する
【００１７】
図１は従来行われている油圧プレスを使用して鋼材等の修正作業及び加工作業する際に，前記鋼材等(Ｅ)を支える方法で前記鋼材等（Ｅ）の前記油圧プレスからはみでた所を助手(Ｆ)により抱持して前記鋼材等（Ｅ）のバランスを保ちながら修正作業及び加工作業を行っていた。
【図面の簡単な説明】
【００１８】
【図１】従来の実施形態を示す斜視図
【図２】本発明の実施形態を示す斜視図
【図３】アタッチメントの立体側面図
【図４】アームの側面短縮図
【図５】アダプターの側面図
【図６】チェーンブロック正面図
【図７】丸型アームとアダプターの断面図
【図８】四角型アームとアダプターの断面図
【図９】Ｈ型アームとアダプターの断面図
【符号の説明】
【００１９】
Ａ                アタッチメント                        
Ｂ                アーム
Ｃ                アダプター                            
Ｄ                チェーンブロック
Ｅ                鋼材等                                  
Ｆ                助手
１，１Ａ          蝶板
２                ボルト
３                ナット
４                パイプ
５                アーム
６                軸棒
７                補強板
８                アダプター本体
９                チェーンブロック備え部
１０                チェーンブロック本体
１１                フック  
１２                ハンドル
１３                チェーン
１４                フック
ア                パイプ内穴
イ、ロ，ハ．ニ    油圧プレスの梁
【図１】
2007245226.tif 000003
【図２】
2007245226.tif 000004
【図３】
2007245226.tif 000005
【図４】
2007245226.tif 000006
【図５】
2007245226.tif 000007
【図６】
2007245226.tif 000008
【図７】
2007245226.tif 000009
【図８】
2007245226.tif 000010
【図９】
2007245226.tif 000011